(57)【要約】【課題】洗浄時における跳ね返りの水が衛生上問題とならないインスツルメント洗浄器具を提供する。【解決手段】インスツルメントの少なくとも先端部が挿入される筒状であるインスツルメント保持部材（１２）を備え、インスツルメント保持部材は、筒状のうち一端に底部（１２ｄ）を有するとともに、側壁部（１２ａ）に開口（１２ｅ）を具備している。【選択図】図２
2019000436.tif 000002
【特許請求の範囲】
【請求項１】
インスツルメント先端から水を流出させることで前記インスツルメントの洗浄を行わせるために、前記インスツルメントを保持するインスツルメント洗浄器具であって、
前記インスツルメントの少なくとも先端部が挿入される筒状であるインスツルメント保持部材を備え、
前記インスツルメント保持部材は、筒状のうち一端に底部を有するとともに、側壁部に開口を具備している、
インスツルメント洗浄器具。
【請求項２】
前記インスツルメント保持部材の前記筒状の前記側壁部は、複数の異なる径が軸線方向に連続して配置された形態である、請求項１に記載のインスツルメント洗浄器具。
【発明の詳細な説明】
【技術分野】
【０００１】
本発明は、インスツルメントの洗浄の際に用いられる洗浄器具に関し、特にインスツルメントの流路に水を流して洗浄する際に用いられる洗浄器具に関する。
【背景技術】
【０００２】
歯科治療の際には、治療の目的に応じて、エアタービン、マイクロモータ、スケーラ、シリンジ等のインスツルメントが用いられる。このインスツルメントは通常、水を噴射することができるように構成されており、治療中に水を噴射して口腔内の洗浄や冷却を行っている。
【０００３】
このようにインスツルメントが水を噴射できるための流路を有していることを利用して、この流路に水を流すことにより当該流路やインスツルメント先端部を洗浄することが日常的に行われている。洗浄に使われた水はインスツルメントから出射されてその後に排水される。
【０００４】
特許文献１、及び特許文献２には、このような洗浄をする際に用いられる器具に関する技術が開示されている。いずれの器具も、洗浄後にインスツルメントから出射された水が、該水を受ける部位（スピットン、水受けトレイ）に向くように、インスツルメントを保持する部位を備えて構成されている。これにより、洗浄することができる姿勢でインスツルメントを保持することができ、当該保持した状態で洗浄を行うことが可能となる。
【先行技術文献】
【特許文献】
【０００５】
【特許文献１】特開平８−３３６５５号公報
【特許文献２】実開昭６４−１７２２２号公報
【発明の概要】
【発明が解決しようとする課題】
【０００６】
ところがこのような器具は、インスツルメントから出射した排水すべき水が、スピットンや水受けトレイの表面で跳ね返り、インスツルメントに当たってしまう問題があった。このように跳ね返りの水がインスツルメントに当たることは衛生の観点から好ましいものではない。また、インスツルメントの保持部を水を受ける部位に対して高くして距離を大きくとれば、跳ね返りを防止することはできるが、そうすると器具が大きくなってしまい、収納等の観点から問題がある。
【０００７】
そこで、本発明は上記の問題点に鑑み、洗浄時における跳ね返りの水が衛生上問題とならないインスツルメント洗浄器具を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
本発明の１つの態様は、インスツルメント先端から水を流出させることでインスツルメント（５ｆ）の洗浄を行わせるために、インスツルメントを保持するインスツルメント洗浄器具（１０）であって、インスツルメントの少なくとも先端部が挿入される筒状であるインスツルメント保持部材（１２）を備え、インスツルメント保持部材は、筒状のうち一端に底部（１２ｄ）を有するとともに、側壁部（１２ａ）に開口（１２ｅ）を具備している、インスツルメント洗浄器具である。
【００１０】
このインスツルメント保持部材（１２）の筒状の側壁部（１２ａ）は、複数の異なる径が軸線方向に連続して配置された形態であるように構成してもよい。
【発明の効果】
【００１１】
本発明のインスツルメント洗浄器具によれば、洗浄時に保持部材から流出した水が跳ね返ってきた場合でも、これを遮断し、インスツルメントに付着することを防止することができる。
【図面の簡単な説明】
【００１２】
【図１】インスツルメント洗浄器具１０の斜視図である。
【図２】インスツルメント洗浄器具１０の他の視点からの斜視図である。
【図３】インスツルメント洗浄器具１０の平面図である。
【図４】インスツルメント洗浄器具１０の断面図である。
【図５】インスツルメント洗浄器具１０の他の断面図である。
【図６】歯科ユニット１の外観斜視図である。
【図７】インスツルメント洗浄器具１０がスピットン８に装着された状態を表した図である。
【図８】図７の状態からさらにインスツルメント５ｆが配置された状態を表した図である。
【図９】洗浄について説明する図である。
【図１０】インスツルメント洗浄器具２０を説明する断面図である。
【図１１】インスツルメント洗浄器具２０における洗浄について説明する図である。
【発明を実施するための形態】
【００１３】
以下、本発明を図面に示す形態に基づき説明する。ただし本発明はこれら形態に限定されるものではない。
【００１４】
図１は１つの形態にかかるインスツルメント洗浄器具１０をインスツルメント挿入側から見た外観斜視図、図２はインスツルメント洗浄器具１０を図１とは反対側から見た外観斜視図、図３はインスツルメント洗浄器具１０をインスツルメント挿入側から見た平面図である。また図４には図３にＩＶ−ＩＶで示した矢視断面図、図５には図３にＶ−Ｖで示した矢視断面図をそれぞれ表した。
【００１５】
これら図からわかるように、インスツルメント洗浄器具１０は、本体１１、インスツルメント保持部材１２、穴１３、凹部１４、掛止突起１５を有して構成されている。
【００１６】
本体１１は、インスツルメント洗浄器具１０が備える各部材が配置される本体であり、本形態では、一方の面に底部１１ａを有する円筒状を基本とし、その一部が切り欠かれたような形態を有している。そしてその底部１１ａに、インスツルメント保持部材１２、穴１３、凹部１４、が配置され、側部１１ｂから掛止突起１５が張り出すように設けられている。また切り欠かれた部位も壁部１１ｃで塞がれている。
本体１１の外周形状は特に限定されることはないが、本形態では後述するように歯科ユニット１のスピットン８（図６参照）に被せるようにして使用するように構成されている（図７参照）。従って、本形態では、本体１１の形状もスピットン８の内側に挿入することができる大きさ及び形状とされている。
【００１７】
インスツルメント保持部材１２は、インスツルメントをここに挿入し、挿入した状態でインスツルメントの流路に水を流すことで洗浄を行う部位である。どのようにして洗浄が行われるかについては後で説明する。
本形態のインスツルメント保持部材１２は、本体１１の底部１１ａに複数設けられ、各インスツルメント保持部材１２は、本体１１の底部１１ａに開口した挿入部１２ｇを有し、本体１１の筒状である内側に延びる筒状の部材である（本形態では円筒状）。
【００１８】
そしてインスツルメント保持部材１２は、特に図２、図４、図５からわかるように、筒状である外周面を構成する側壁部１２ａ、及び筒状である端部のうち本体１１側の挿入部１２ｇとは反対側に設けられた底部１２ｄを有して構成されている。
本形態ではインスツルメント保持部材１２に底部１２ｄを備えることにより、後述するように排水すべき水のスピットンや水受けトレイ等からの跳ね返りがあっても底部１２ｄで遮断することができ、インスツルメントへの跳ね返り水の到達を防止することが可能となる。
【００１９】
側壁部１２ａはインスツルメント保持部材１２の円筒状の側壁を形成する部位である。本形態では、挿入部１２ｇ側となる径が大きい第一側壁部１２ｂと、底部１２ｄ側となる、第一側壁部１２ｂよりも径が小さい第二側壁部１２ｃと、を備えて構成されている。第一側壁部１２ｂと第二側壁部１２ｃとは同軸で連続して配置されている。
これにより、大きさ（太さ）が異なる複数種類のインスツルメントに対応して挿入し、これを保持することができるので汎用性を高めることができる。
そして側壁部１２ａは、インスツルメントが挿入された際に、次に説明する開口１２ｅ以外の部位においてインスツルメントの先端部周囲を囲むように配置される。これにより後述するように排水すべき水のスピットンや水受けトレイ等からの跳ね返りがあっても側壁部１２ａで遮断することができ、インスツルメントへの跳ね返り水の到達を防止することが可能となる。
【００２０】
側壁部１２ａには、底部１２ｄ側の端部に排水のための開口１２ｅが２つ設けられている。後述するように、本形態ではこの開口１２ｅから水が流出する。開口の形態は特に限定されることはなく、その数や形状は適宜設定することができる。
なお、複数のインスツルメント保持部材１２が配置された場合、隣り合うインスツルメント保持部材１２で開口１２ｅが対向しないように配置されることが好ましい。これによりある１つの開口１２ｅから流出した水が、隣のインスツルメント保持部材１２の開口１２ｅから流入してしまうことを確実に防止することができる。
【００２１】
切り欠き壁１２ｆは、底部１２ｄ側の第二側壁部１２ｃの内側の空間をさらに狭くするために設けられた壁である。これによりさらに細いインスツルメントも適切に保持することが可能となる。
【００２２】
底部１２ｄは、上記したように、筒状である側壁部１２ａの端部のうち本体１１側の挿入部１２ｇとは反対側に設けられた底板である。
本形態のようにインスツルメント保持部材１２に底部１２ｄを備えることにより、排水すべき水がスピットンや水受けトレイ等から跳ね返ってきても底部１２ｄで遮断することができ、インスツルメントへの跳ね返り水の到達を防止することが可能となる。
【００２３】
穴１３は、インスツルメントやそのアダプタを挿入して保持しておくことができるように設置した穴である。
また、凹部１４は、インスツルメントや他の器具を一時的に置いておくために設けた部位である。
インスツルメント洗浄器具１０には、利便性を高めるためにこのように、必要に応じて他の目的の穴や凹部を設けてもよい。
【００２４】
掛止突起１５は、本体１１の側部１１ｂからさらに広がるように張り出した板状の突起である。後述するように、この掛止突起１５がスピットン８の縁に引っ掛かることにより、インスツルメント洗浄器具１０をスピットン８に被せるように配置することができる。
掛止突起１５の形態は特に限定されることはなく、本形態のように連続してなる１つの部位であってもよく、断続的に設けられて配列された複数の部位であってもよい。
【００２５】
以上のようなインスツルメント洗浄器具１０は例えば次のように、歯科ユニット１を用いて使用される。図６には１つの例にかかる歯科ユニット１の外観図を示した。図６からわかるように、歯科ユニット１は、基台２、患者用椅子３、歯科用照明４、ドクターユニット５、アシスタントユニット６を備えて構成されている。また、ここには不図示の給水回路、空気回路も備えている。
【００２６】
基台２は患者用椅子３の下方に配置されており、患者用椅子３の土台となるものである。基台２は、筐体により外郭が形成されるとともに、該筐体の内側には、各種制御機器が内包されている。ここに含まれる制御機器としては、例えば、患者用椅子３の昇降、傾倒起立等をさせるための油圧回路、及び該油圧回路を制御する油圧制御手段を挙げることができる。従って、基台２のうち、患者用椅子３の背面側には、フットスイッチが設けられる。施術者はこのフットスイッチやドクターユニット５の操作パネル５ｄの操作スイッチを操作して油圧制御手段に対して指令を出し、油圧回路を制御して患者用椅子３の昇降、傾倒起立をさせることができる。
【００２７】
患者用椅子３は、公知の通りであるが、着座部、背もたれ、ヘッドレスト、レッグレスト、及びフットレストを備えており、基台２に配置された油圧回路により上記したように昇降、及び傾倒起立させることができるように構成されている。
【００２８】
歯科用照明４は、治療を行うときに的確に患者の口腔内を照明することができるように、自在継ぎ手等により自由度高く移動回動可能なアームを介して取り付けられている。従って、歯科用照明４は、その位置、角度を調整することにより、施術者が患者の口腔内を適切に観察できる位置へ該歯科用照明４を移動させることが可能である。
【００２９】
ドクターユニット５は、患者用椅子３の側方のうちアシスタントユニット６とは反対側の側方に設けられ、施術者が必要とする各器具やスイッチ等が備えられる作業台５ａを有している。この作業台５ａにはその上面に作業面５ｂを有するとともに、施術者が施術の際に使用するインスツルメント群５ｃがホルダーに収められている。インスツルメント群５ｃに含まれるインスツルメント５ｆとしては、例えば、エアタービン、マイクロモータ、スケーラ、シリンジ等を挙げることができる。これらインスツルメント５ｆをインスツルメント洗浄器具１０を用いて洗浄する。
作業台５ａには、操作パネル５ｄが設けられてもよく、ここに各種操作スイッチ類が配置されており、例えば患者用椅子３の傾倒起立、昇降操作、歯科用照明４の点灯及び消灯の切り替え等が可能となっている。
そして、作業台５ａはアーム５ｅにより移動及び回動ができるように支持されており、施術者の移動に合わせて作業台５ａも移動及び回動することが可能とされ、利便性の向上が図られている。
【００３０】
アシスタントユニット６は、患者用椅子３の側方のうちのドクターユニット５が配置された側とは反対側に設けられ、アシスタントハンガー７、スピットン８、及び給水部９を備えている。
【００３１】
アシスタントハンガー７は、主にアシスタントが使用する器具が具備された部位である。アシスタントハンガー７は、ハンガー部７ａ、及びハンガー支柱７ｂを備えている。ハンガー部７ａには、例えばバキューム、排唾管、シリンジ等のインスツルメントが懸架されている。そしてこのようなハンガー部７ａがハンガー支柱７ｂにより移動及び回動可能に支持されている。
【００３２】
スピットン８は、給水部９から供給された水により治療中や治療後に患者がうがいをして、口腔内を洗浄するときに使用するものである。従って、スピットン８は、うがいをした後の口腔内の水を吐き捨てるため鉢状とされている。そしてスピットン８に排出された唾液や水は、ウオーターユニット中の排水トラップを介して排出される。ここで、スピットン８は、患者の正面側に向かって水平面内で回動可能とされている。これにより患者の目の前にスピットン８を配置することができ、利便性を向上させている。そしてこのスピットン８にインスツルメント洗浄器具１０を配置することでインスツルメント５ｆの洗浄を行う。
【００３３】
給水部９は、給水源からの水が流出する部位であり、治療中や治療後に患者がうがいをして、口腔内を洗浄するとき等に使用される。
【００３４】
不図示の給水回路は、給水源から給水部９やインスツルメント５ｆ等に水を供給する配管及び各種機器からなる給水回路である。ここに備えられる各種機器は例えば弁やレギュレータ等を挙げることができるが公知のものを必要に応じて適用することができる。この給水回路からの水を用いてインスツルメント５ｆの流路に水を流して洗浄を行う。
【００３５】
不図示の空気回路は、空気供給源から各インスツルメントに空気（エアー）を供給する配管及び各種機器からなる空気回路である。ここに備えられる各種機器は例えば弁やレギュレータ等を挙げることができるが公知のものを必要に応じて適用することができる。
【００３６】
以上のような構成を有する歯科ユニット１にインスツルメント洗浄器具１０を配置して、例えば次のようにインスツルメントの洗浄が行われる。図７（ａ）には、インスツルメント洗浄器具１０をスピットン８に配置した斜視図、図７（ｂ）にはその断面図を表した。また、図８（ａ）にはさらにインスツルメント５ｆを配置した斜視図、図８（ｂ）にはその断面図を表した。そして図９には、１つのインスツルメント保持部材１２の断面においてインスツルメント５ｆが配置された図を表した。
【００３７】
初めに、図７（ａ）、図７（ｂ）に示したように、スピットン８の鉢状である開口部に重ねるようにインスツルメント洗浄器具１０を配置する。このとき、本体１１の底部１１ａ、及びインスツルメント保持部材１２の挿入部１２ｇが上となるように配置する。そして、掛止突起１５がスピットン８の縁に引っ掛かるようにすることで、インスツルメント洗浄器具１０がスピットン８の開口部に保持され、インスツルメント洗浄器具１０とスピットン８の底部との間に適切に空間が形成される。
【００３８】
次に、図８（ａ）、図８（ｂ）、及び図９に示したようにインスツルメント保持部材１２に、その挿入部１２ｇから、インスツルメント５ｆを先端から挿入する。
そしてこの姿勢で、給水回路によりインスツルメント５ｆの流路に水を流す。これにより水はインスツルメント５ｆを洗浄してその先端から流出する。この流出した水は、図９の矢印ＩＸａで示したようにインスツルメント保持部材１２の側壁部１２ａに設けられた開口１２ｅから流出される。開口１２ｅから流出した水は、スピットン８の底部から排水口に達して排水される。
また、図９に矢印ＩＸｂで示したスピットン８の底部からの跳ね返りの水は、インスツルメント保持部材１２の側壁部１２ａ及び底部１２ｄにより遮断されるため、インスツルメント５ｆに付着することなく、衛生的に良好であるといえる。
【００３９】
なお、ここではインスツルメントの全てが組み合わされた状態で保持部材１２にインスツルメントを挿入する例で説明した。ただし、インスツルメントはその一部を分解して着脱できる構造となっているものもあり、その場合には分解してその一部を保持部材１２に挿入して同様に洗浄することもできる。
【００４０】
このように、インスツルメント洗浄器具１０によれば、スピットンや水受けトレイ等からの跳ね返りの水を遮断することができるので、衛生の観点から好ましい。また、このような跳ね返りの水を遮断できるため、スピットンの底面等、排水を受ける面との距離を大きくとる必要がないことから、インスツルメント洗浄器具１０を小さく（薄く）形成することができ、取り扱いや保管の観点からも好ましいものといえる。例えば複数のインスツルメント洗浄器具１０を重ねて保管しても小さなスペースに収納することが可能である。
【００４１】
上記の例では、インスツルメント洗浄器具１０を歯科ユニット１のスピットン８に配置する例を挙げて説明した。これによれば流出した水を受けるための新たな部材（水を受けるための容器、例えば水受けトレイ等）を必要としない点で便利である。ただし、これに限定されることはなく、別途容器を組み合わせるように構成してもよい。この場合であっても、当該容器からの跳ね返りの水を遮断することができるので、衛生的であるとともに、当該容器を薄くすることができるためコンパクトにすることが可能である。
【００４２】
図１０、図１１には他の形態にかかるインスツルメント洗浄器具２０を説明するための図を表した。図１０は図５に相当する図、図１１は図９に相当する図である。インスツルメント洗浄器具２０は、インスツルメント洗浄器具１０に対して底部１２ｄが設けられていない点が異なる。
このような場合でも、図１１に示したように、インスツルメント保持部材１２の側壁部１２ａが、開口１２ｅ以外の部位で、インスツルメント５ｆの先端の少なくとも一部を囲むように保護することができる。従って、排水すべき水のスピットンや水受けトレイ等からの跳ね返りがあっても側壁部１２ａで遮断することができ、インスツルメント５ｆへの跳ね返り水の到達を防止することが可能となる。より詳しくは次の通りである。
【００４３】
図９に示したようにインスツルメント５ｆをインスツルメント保持部材１２に挿入した姿勢で、給水回路によりインスツルメント５ｆの流路に水を流す。これにより水はインスツルメント５ｆを洗浄してその先端から流出する。この流出した水は、図１１の矢印ＸＩａで示したように、側壁部１２ａの端部である開口、及び、インスツルメント保持部材１２の側壁部１２ａに設けられた開口１２ｅから流出される。流出した水は、スピットン８の底部から排水口に達して排水される。
また、図１１に矢印ＸＩｂで示したスピットン８の底部からの跳ね返りの水は、インスツルメント保持部材１２の側壁部１２ａにより遮断されるため、インスツルメント５ｆに付着することなく、衛生的に良好であるといえる。
【００４４】
このように底部が配置されない場合には開口１２ｅを設けなくてもよい。この場合には、インスツルメント５ｆの先端の側面側の周囲の全てが側壁部１２ａで覆われることになり、より一層跳ね返りの水を遮断することができる。
【符号の説明】
【００４５】
１  歯科ユニット
２  台座
３  歯科用椅子
４  歯科用照明
５  ドクターユニット
６  アシスタントユニット
１０、２０  インスツルメント洗浄器具
１１  本体
１２  インスツルメント保持部材
１２ａ  側壁部
１２ｄ  底部
１２ｅ  開口
１２ｇ  挿入部
１５  掛止突起
【図１】
2019000436.tif 000003
【図２】
2019000436.tif 000004
【図３】
2019000436.tif 000005
【図４】
2019000436.tif 000006
【図５】
2019000436.tif 000007
【図６】
2019000436.tif 000008
【図７】
2019000436.tif 000009
【図８】
2019000436.tif 000010
【図９】
2019000436.tif 000011
【図１０】
2019000436.tif 000012
【図１１】
2019000436.tif 000013